【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
第一端および第二端を有する膨張式カーテンと、第一端および第二端を有すると共に少なくとも部分的に前記膨張式カーテンを囲むように構成された被包とを具備するエアバック装置。
【請求項２】
前記被包の長さが前記カーテンの長さとほぼ同じである請求項１に記載のエアバック装置。
【請求項３】
前記被包が前記カーテンに取り付けられる請求項１に記載のエアバック装置。
【請求項４】
前記被包が前記カーテンの第一端の近傍において該カーテンに長手方向に取り付けられる請求項３に記載のエアバック装置。
【請求項５】
前記被包が該被包の中心線部分に近接して前記カーテンに取り付けられる請求項３に記載のエアバック装置。
【請求項６】
前記カーテンが折り畳まれた状態にあるときに前記被包の第一端が前記カーテンの周囲において前記被包の第二端の近傍に取り付けられるように構成されている請求項１に記載のエアバック装置。
【請求項７】
前記被包が該被包の第二端に近接した該被包の第一端の取付を補助する固定部を備える請求項６に記載のエアバック装置。
【請求項８】
前記固定部が前記被包の第二端の近傍に長手方向に設置される請求項７に記載のエアバック装置。
【請求項９】
前記固定部が第一面が前記被包の第二端の近傍に固定されると共に第二面が前記被包の第一端の近傍に固定されるように構成された両面テープを備える請求項７に記載のエアバック装置。
【請求項１０】
前記被包が該被包に沿って長手方向へ延びる破断線を備える請求項１に記載のエアバッグ装置。
【請求項１１】
前記破断線が前記被包の固定部と前記被包の第一端との間に設置されると共に膨張時に前記カーテンが該破断線において前記被包を突き抜けて車両内へと拡がることができるように構成されている請求項１０に記載のエアバック装置。
【請求項１２】
前記カーテンが当該エアバック装置を車両内部に取り付けることができるように前記カーテンの第一端から延びる少なくとも一つの取付タブを備える請求項１に記載のエアバック装置。
【請求項１３】
前記被包が前記取付タブを受容するように構成された少なくとも一つのスロットを備える請求項１２に記載のエアバック装置。
【請求項１４】
前記被包が少なくとも一つの切欠きを備え、前記被包が前記カーテンの周囲に固定されたときに前記取付タブとほぼ整合して前記取付タブを前記切欠き内に位置させることができるように前記切欠きが構成されている請求項１２に記載のエアバック装置。
【請求項１５】
第一端および第二端を有する膨張式カーテンと、第一端および第二端を有すると共に前記カーテンに取り付けられる被包とを具備し、前記カーテンが折り畳まれた状態にあるときに前記被包の第一端が前記カーテンの周囲において前記被包の第二端の近傍に取り付けられるように構成されているエアバッグ装置。
【請求項１６】
前記被包の長さが前記カーテンの長さとほぼ同じである請求項１５に記載のエアバック装置。
【請求項１７】
前記被包が前記カーテンの第一端に近接して前記被包の中心線部分の近傍において前記カーテンに長手方向に取り付けられている請求項１５に記載のエアバック装置。
【請求項１８】
前記カーテンに対する前記被包の取付箇所が少なくとも５００Ｎの引張強度を有する請求項１７に記載のエアバック装置。
【請求項１９】
前記カーテンに対する前記被包の取付箇所が約１４００Ｎの引張強度を有する請求項１８に記載のエアバック装置。
【請求項２０】
前記被包の第一端が該被包の第二端に近接した該被包の第一端の取付を補助する固定部を備える請求項１５に記載のエアバック装置。
【請求項２１】
前記固定部が前記被包の第二端の近傍において長手方向に設置される請求項２０に記載のエアバック装置。
【請求項２２】
前記固定部が第一面と第二面とを有するテープを備え、該第一面が前記被包の第二端の近傍において固定され、前記第二面が前記被包の第一端の近傍に固定されるように構成されている請求項２０に記載のエアバック装置。
【請求項２３】
前記テープがアクリル系である請求項２２に記載のエアバック装置。
【請求項２４】
前記被包が該被包に沿って長手方向へ延びる破断線を備える請求項１５に記載のエアバッグ装置。
【請求項２５】
前記破断線が引張負荷の下で約４．５キログラム（約１０ポンド）から約２２．７キログラム（約５０ポンド）の間の引裂強度を備える請求項２４に記載のエアバック装置。
【請求項２６】
前記破断線が引張負荷の下で約１３．６キログラム（約３０ポンド）の引裂強度を備える請求項２５に記載のエアバック装置。
【請求項２７】
前記カーテンが前記カーテンを車両内部に取り付けることができるように前記カーテンの第一端から延びる複数の取付タブを備える請求項１５に記載のエアバック装置。
【請求項２８】
前記被包が前記取付タブを受容するように構成されている複数のスロットを備える請求項２７に記載のエアバック装置。
【請求項２９】
前記被包が複数の切欠きを備え、前記被包が前記カーテンの周囲に固定されたときに前記取付タブとほぼ整合して前記取付タブを前記切欠き内に位置させることができるように前記切欠きが構成されている請求項２７に記載のエアバック装置。
【請求項３０】
第一端および第二端を有する膨張式カーテンと、第一端および第二端を有すると共に前記カーテンの第一端に近接して長手方向に取り付けられる被包とを具備し、該被包が前記カーテンが折り畳み状態にあるときに前記カーテンの周囲において前記被包の第二端に近接した前記被包の第一端の取付を補助するために前記被包の第二端に近接して長手方向に設置される固定部を有し、また、前記被包が膨張時に前記カーテンが前記被包を突破することができるように前記被包に沿って長手方向に延びる破断線を有する膨張式カーテン装置。
【請求項３１】
前記固定部が第一面と第二面とを有するテープを備え、該第一面が前記被包の第二端の近傍に固定され、前記第二面が前記被包の第一端の近傍に固定されるように構成されている請求項３０に記載の膨張式カーテン装置。
【請求項３２】
前記テープがアクリル系である請求項３１に記載の膨張式カーテン装置。
【請求項３３】
カーテンと該カーテンの少なくとも一部を囲うように構成された被包とを具備するエアバック装置を使用する方法において、前記カーテンを折り畳み状態に配置する配置工程と、前記カーテンの周囲に前記被包を固定する固定工程とを備える方法。
【請求項３４】
前記配置工程が前記カーテンの第一端を該カーテンの第一面に近接した位置に折り畳むことによって折畳部を形成する工程を備える請求項３３に記載の方法。
【請求項３５】
前記配置工程が前記カーテンの第一端に向かって該カーテンの第二端を巻回することによって前記折畳部の反対側に前記カーテンの巻回部分を作り出す工程を備える請求項３４に記載の方法。
【請求項３６】
前記被包が該被包の第二端に近接して設置される固定部を備える請求項３４に記載の方法。
【請求項３７】
前記固定工程が前記固定部において前記カーテンの周囲の前記被包の第一端を前記被包の第二端に長手方向に固定する工程を備える請求項３４に記載の方法。
【請求項３８】
前記固定部が両面テープを備え、該両面テープの第一面が前記被包の第二端に固定されると共に該両面テープの第二面が裏張りによって被覆されている請求項３６に記載の方法。
【請求項３９】
前記固定工程が前記両面テープの第二面から前記裏張りを除去すると共に第二面を前記被包の第二端に接着する工程を備える請求項３８に記載の方法。
【請求項４０】
前記カーテンが少なくとも一つの取付タブを備える請求項３４に記載の方法。
【請求項４１】
前記固定工程が前記被包が前記カーテンの周囲に固定された後に該取付タブに接触可能とするように前記被包の対応するスロットに前記取付タブを配置する工程を備える請求項４０に記載の方法。
【請求項４２】
前記固定工程が前記被包内に構成される対応する切欠き内に前記取付タブを整合させる工程を備える請求項４０に記載の方法。